(57)【特許請求の範囲】
【請求項１】
レーザ光を出射するレーザ発生器と、
前記レーザ発生器から出射したレーザ光が照射され、光を出射する発光部材と、
前記発光部材の前記レーザ光が照射される被照射領域の面積を変更するための照射面積変更部と、
前記発光部材から出射した光を投光する投光部材とを備え、
前記投光部材は、前記発光部材から出射した光を反射する反射面を有する反射鏡を含むことを特徴とする照明装置。
【請求項２】
レーザ光を出射するレーザ発生器と、
前記レーザ発生器から出射したレーザ光が照射され、光を出射する発光部材と、
前記発光部材の前記レーザ光が照射される被照射領域の面積を変更するための照射面積変更部と、
前記発光部材から出射した光を投光する投光部材と、
前記レーザ発生器から出射したレーザ光を透過するレンズとを備え、
前記照射面積変更部は、前記レンズを光軸方向に移動させることにより、前記発光部材の被照射領域の面積を変更することを特徴とする照明装置。
【請求項３】
レーザ光を出射するレーザ発生器と、
前記レーザ発生器から出射したレーザ光が照射され、光を出射する発光部材と、
前記発光部材の前記レーザ光が照射される被照射領域の面積を変更するための照射面積変更部と、
前記発光部材から出射した光を投光する投光部材と、
前記レーザ発生器の出力を調整する出力調整部とを備え、
前記出力調整部は、前記発光部材の被照射領域の面積の変更に同期して、前記レーザ発生器の出力を調整する機能を有することを特徴とする照明装置。
【請求項４】
前記投光部材は、前記発光部材から出射した光を制御する投光レンズを含むことを特徴とする請求項２または３に記載の照明装置。
【請求項５】
前記発光部材は、蛍光部材を含むことを特徴とする請求項１〜４のいずれか１項に記載の照明装置。
【請求項６】
前記発光部材は、前記反射面の深さ方向と交差する所定の方向に広がるように形成されており、
前記発光部材の被照射領域の少なくとも前記所定の方向の長さが、前記照射面積変更部により変更されることによって、前記被照射領域の面積が変更されることを特徴とする請求項１に記載の照明装置。
【請求項７】
前記反射面は、焦点を有する形状に形成されており、
前記発光部材は、前記反射面の焦点を含む領域、または、前記反射面の焦点の近傍に配置されていることを特徴とする請求項１または６に記載の照明装置。
【請求項８】
前記反射面は、放物面および楕円面の一方の少なくとも一部を含むように形成されていることを特徴とする請求項７に記載の照明装置。
【請求項９】
前記レンズは、前記レーザ発生器から出射したレーザ光を平行光にするコリメートレンズを含むことを特徴とする請求項２に記載の照明装置。
【請求項１０】
前記発光部材は、前記反射面の深さ方向に広がるように形成されており、
前記発光部材の被照射領域の少なくとも前記深さ方向の長さが、前記照射面積変更部により変更されることによって、前記被照射領域の面積が変更されることを特徴とする請求項１および６〜８のいずれか１項に記載の照明装置。
【請求項１１】
前記発光部材が取り付けられる保持面を有する保持部材をさらに備え、
前記反射面は、放物面および楕円面の一方を、焦点と頂点とを結ぶ軸に交差する面で分割した形状に形成されており、
前記保持部材の保持面は、前記焦点と頂点とを結ぶ軸に交差する所定の方向に広がるように形成されていることを特徴とする請求項１、６〜８および１０のいずれか１項に記載の照明装置。
【請求項１２】
前記保持部材は、前記発光部材から出射した光を透過する機能を有することを特徴とする請求項１１に記載の照明装置。
【請求項１３】
前記発光部材が取り付けられる保持面を有する保持部材をさらに備え、
前記反射面は、放物面および楕円面の一方を、焦点と頂点とを結ぶ軸に交差する面で分割し、かつ、前記焦点と頂点とを結ぶ軸に平行な面で分割した形状に形成されており、
前記保持部材の保持面は、前記焦点と頂点とを結ぶ軸の延びる方向に広がるように形成されていることを特徴とする請求項１、６〜８および１０〜１２のいずれか１項に記載の照明装置。
【請求項１４】
前記保持部材は、金属製であることを特徴とする請求項１３に記載の照明装置。
【請求項１５】
前記反射面は、焦点および頂点を有する形状に形成されており、
前記反射面の焦点は、前記反射面の頂点の近傍に位置しており、
前記発光部材は、前記反射面の頂点の近傍に配置されていることを特徴とする請求項１、６〜８および１０〜１４のいずれか１項に記載の照明装置。
【請求項１６】
前記発光部材は、前記反射鏡の内部と外部との境界に配置されていることを特徴とする請求項１、６〜８および１０〜１５のいずれか１項に記載の照明装置。
【請求項１７】
前記発光部材の前記レーザ光が照射される被照射位置を変更するための照射位置変更部をさらに備えることを特徴とする請求項１〜１６のいずれか１項に記載の照明装置。
【請求項１８】
前記照射位置変更部は、前記発光部材の被照射位置を移動させ、かつ、移動後に停止させることを特徴とする請求項１７に記載の照明装置。
【請求項１９】
前記レーザ発生器は、半導体レーザ素子を含むことを特徴とする請求項１〜１８のいずれか１項に記載の照明装置。
【請求項２０】
請求項１〜１９のいずれか１項に記載の照明装置を備えることを特徴とする前照灯。
【請求項２１】
請求項２０に記載の前照灯を備えることを特徴とする移動体。
【発明の詳細な説明】
【技術分野】
【０００１】
この発明は、照明装置、前照灯および移動体に関し、特に、レーザ光源としてレーザ発生器を用いた照明装置、前照灯および移動体に関する。
【背景技術】
【０００２】
従来、レーザ光源としてレーザ発生器を用いた照明装置が知られている（例えば、特許文献１参照）。
【０００３】
上記特許文献１には、レーザ光源として機能する紫外線ＬＤ素子（レーザ発生器）と、紫外線ＬＤ素子から出射したレーザ光を可視光に変換する蛍光体（蛍光部材）と、蛍光体から出射した可視光を反射する反射鏡（投光部材）とを備えた光源装置（照明装置）が開示されている。
【０００４】
この光源装置では、蛍光体から出射した可視光を反射する反射鏡を設けることによって、光源装置の前方の所定領域が照明される。
【先行技術文献】
【特許文献】
【０００５】
【特許文献１】特開２００３−２９５３１９号公報
【発明の概要】
【発明が解決しようとする課題】
【０００６】
ところで、自動車（移動体）の前照灯（照明装置）は、自動車の走行状態に応じて、照明領域の面積が変更される場合がある。例えば、自動車が市街地等を走行する場合は、すれ違い用前照灯（ロービーム）を用いて、比較的広い領域が照明される。その一方、例えば、自動車が高速道路等を走行する場合は、走行用前照灯（ハイビーム）を用いて、比較的狭い領域が照明される。
【０００７】
しかしながら、上記特許文献１の光源装置では、照明領域の面積を変更することが困難であるので、上記特許文献１の光源装置を自動車の前照灯に適用する場合、すれ違い用前照灯としての光源装置と、走行用前照灯としての光源装置とを設ける必要がある。このため、前照灯全体が大型化するという問題点がある。
【０００８】
この発明は、上記のような課題を解決するためになされたものであり、この発明の目的は、大型化するのを抑制しながら、照明領域の面積を変更することが可能な照明装置、前照灯および移動体を提供することである。
【課題を解決するための手段】
【０００９】
上記目的を達成するために、この発明の第１の局面による照明装置は、レーザ光を出射するレーザ発生器と、レーザ発生器から出射したレーザ光が照射され、光を出射する発光部材と、発光部材のレーザ光が照射される被照射領域の面積を変更するための照射面積変更部と、発光部材から出射した光を投光する投光部材とを備える。
【００１０】
この第１の局面による照明装置では、上記のように、発光部材のレーザ光が照射される被照射領域の面積を変更する照射面積変更部と、発光部材から出射した光を投光する投光部材とを設ける。これにより、照射面積変更部を用いて、発光部材の被照射領域の面積を変更することにより、照明装置の照明領域（照明装置が照明する領域）の面積を変更することができる。このため、照明装置の照明領域の面積を変更するために、複数の照明装置（例えば、すれ違い用前照灯および走行用前照灯）を別々に設ける必要がない。その結果、照明装置全体が大型化するのを抑制することができる。
【００１１】
なお、発光部材の被照射領域の面積を変更するには、例えば、レーザ光の広がり角を変更するだけでよいので、照射面積変更部を小型化することができる。
【００１２】
また、第１の局面による照明装置では、上記のように、レーザ発生器を用いることによって、発光部材の被照射領域を、容易に狭く（小さく）することができる。すなわち、発光部材の一部のみを照射することも、容易にできる。これにより、発光部材の被照射領域の面積を、容易に変更することができる。
【００１３】
上記第１の局面による照明装置において、好ましくは、投光部材は、発光部材から出射した光を反射する反射面を有する反射鏡を含む。
【００１４】
上記第１の局面による照明装置において、好ましくは、投光部材は、発光部材から出射した光を制御する投光レンズを含む。
【００１５】
上記第１の局面による照明装置において、好ましくは、発光部材は、蛍光部材を含む。
【００１６】
上記投光部材が反射鏡を含む照明装置において、好ましくは、発光部材は、反射面の深さ方向と交差する所定の方向に広がるように形成されており、発光部材の被照射領域の少なくとも所定の方向の長さが、照射面積変更部により変更されることによって、被照射領域の面積が変更される。このように構成すれば、発光部材の被照射領域の少なくとも所定の方向の長さを変更することにより、容易に、照明装置の照明領域の面積を変更することができる。
【００１７】
上記投光部材が反射鏡を含む照明装置において、好ましくは、反射面は、焦点を有する形状に形成されており、発光部材は、反射面の焦点を含む領域、または、反射面の焦点の近傍に配置されている。このように構成すれば、発光部材の被照射領域の面積を変更することにより、容易に、照明装置の照明領域の面積を変更することができる。
【００１８】
また、発光部材の被照射位置（例えば、被照射領域の中心位置）を反射面の焦点に位置させ、かつ、発光部材の被照射領域を狭く（小さく）すれば、照明装置から外部に出射する光（照明光）を、容易に、例えば略平行光にしたり集光することができる。また、発光部材の被照射位置を反射面の焦点に位置させれば、照明装置の照明領域が、例えば、ドーナツ型（円盤状）になったり、極端に暗くなったりするのを抑制することができる。
【００１９】
上記発光部材が、反射面の焦点を含む領域、または、反射面の焦点の近傍に配置されている照明装置において、好ましくは、反射面は、放物面および楕円面の一方の少なくとも一部を含むように形成されている。このように構成すれば、発光部材の被照射位置を反射面の焦点に位置させ、かつ、発光部材の被照射領域を狭く（小さく）すれば、照明装置から外部に出射する光（照明光）を、容易に、略平行光にしたり集光することができる。
【００２０】
上記第１の局面による照明装置において、好ましくは、レーザ発生器から出射したレーザ光を透過するレンズをさらに備え、照射面積変更部は、レンズを光軸方向に移動させることにより、発光部材の被照射領域の面積を変更する。このように、レンズを光軸方向に移動させれば、レーザ光の広がり角を容易に変更することができるので、発光部材の被照射領域の面積を容易に変更することができる。
【００２１】
なお、発光部材の被照射領域の面積を変更するために、レンズを光軸方向に移動させるだけでよいので、照射面積変更部を、十分に小型化することができる。
【００２２】
上記レンズを備える照明装置において、好ましくは、レンズは、レーザ発生器から出射したレーザ光を平行光にするコリメートレンズを含む。このように構成すれば、発光部材の被照射領域を、より容易に狭く（小さく）することができる。すなわち、発光部材の一部のみを照射することも、より容易にできる。
【００２３】
上記投光部材が反射鏡を含む照明装置において、好ましくは、発光部材は、反射面の深さ方向に広がるように形成されており、発光部材の被照射領域の少なくとも深さ方向の長さが、照射面積変更部により変更されることによって、被照射領域の面積が変更される。このように構成すれば、発光部材の被照射領域の少なくとも深さ方向の長さを変更することにより、容易に、照明装置の照明領域の面積を変更することができる。
【００２４】
上記投光部材が反射鏡を含む照明装置において、発光部材が取り付けられる保持面を有する保持部材をさらに備え、反射面は、放物面および楕円面の一方を、焦点と頂点とを結ぶ軸に交差する面で分割した形状に形成されており、保持部材の保持面は、焦点と頂点とを結ぶ軸に交差する所定の方向に広がるように形成されていてもよい。
【００２５】
この場合、好ましくは、保持部材は、発光部材から出射した光を透過する機能を有する。このように構成すれば、保持部材を透過した光も、照明光として利用することができる。
【００２６】
上記投光部材が反射鏡を含む照明装置において、好ましくは、発光部材が取り付けられる保持面を有する保持部材をさらに備え、反射面は、放物面および楕円面の一方を、焦点と頂点とを結ぶ軸に交差する面で分割し、かつ、焦点と頂点とを結ぶ軸に平行な面で分割した形状に形成されており、保持部材の保持面は、焦点と頂点とを結ぶ軸の延びる方向に広がるように形成されている。このように構成すれば、反射鏡および照明装置を小型化することができる。
【００２７】
この場合、好ましくは、保持部材は、金属製である。このように構成すれば、発光部材で発生する熱を、保持部材に放熱させることができるので、発光部材が高温になるのを抑制することができる。
【００２８】
上記第１の局面による照明装置において、好ましくは、レーザ発生器の出力を調整する出力調整部をさらに備え、出力調整部は、発光部材の被照射領域の面積の変更に同期して、レーザ発生器の出力を調整する機能を有する。このように構成すれば、照明領域の照度を制御することができるので、照明領域が暗く（または明るく）なり過ぎるのを抑制することができる。
【００２９】
上記投光部材が反射鏡を含む照明装置において、好ましくは、反射面は、焦点および頂点を有する形状に形成されており、反射面の焦点は、反射面の頂点の近傍に位置しており、発光部材は、反射面の頂点の近傍に配置されている。このように構成すれば、反射面を、頂点（焦点）位置が深く、かつ、開口部（照明光を外部に出射する部分）の径が小さい深穴形状に形成することができる。これにより、発光部材から出射した光の大部分を、反射面で反射させた後に外部に出射させることができる。その結果、照明装置の照明領域の面積を、効果的に変更することができる。また、反射鏡を介さずに外部に出射する光の広がり角が大きくなるのを、抑制することができる。
【００３０】
上記投光部材が反射鏡を含む照明装置において、発光部材は、反射鏡の内部と外部との境界に配置されていてもよい。
【００３１】
上記第１の局面による照明装置において、好ましくは、発光部材のレーザ光が照射される被照射位置を変更するための照射位置変更部をさらに備える。このように構成すれば、照明装置の照明方向（照明装置が照明する方向）も、変更することができる。
【００３２】
上記照射位置変更部を備える照明装置において、好ましくは、照射位置変更部は、発光部材の被照射位置を移動させ、かつ、移動後に停止させる。
【００３３】
なお、被照射位置を移動させ、かつ、移動後に停止させる、とは、レーザ光による被照射位置を走査（スキャン）し続けることではなく、被照射位置を所望の位置に移動させて、移動先で実質的に静止させることを意図する。実質的に静止させるとは、移動先にて移動範囲よりも狭い範囲で被照射位置を揺動する状態を含む。また、被照射位置が移動先にて一瞬静止した後に戻ってくる動作なども、被照射位置を所望の位置に移動させて、移動先で実質的に静止させたと言える。
【００３４】
上記第１の局面による照明装置において、好ましくは、レーザ発生器は、半導体レーザ素子を含む。このように構成すれば、照明装置を容易に小型化することができる。
【００３５】
この発明の第２の局面による前照灯は、上記の構成の照明装置を備える。このように構成すれば、大型化するのを抑制しながら、照明領域の面積を変更することが可能な前照灯を得ることができる。
【００３６】
この発明の第３の局面による移動体は、上記の構成の前照灯を備える。このように構成すれば、大型化するのを抑制しながら、照明領域の面積を変更することが可能な移動体を得ることができる。
【発明の効果】
【００３７】
以上のように、本発明によれば、大型化するのを抑制しながら、照明領域の面積を変更することが可能な照明装置、前照灯および移動体を容易に得ることができる。
【図面の簡単な説明】
【００３８】
【図１】本発明の第１実施形態による前照灯を備えた自動車の全体構成を概略的に示した平面図である。
【図２】図１に示したコリメートレンズを透過するレーザ光を説明するための平面図である。
【図３】図１に示した反射鏡および蛍光部材の構造を上方から見た断面図である。
【図４】図１に示した反射鏡および蛍光部材の構造を示した正面図である。
【図５】図１に示した反射鏡の反射面で反射される光を上方から見た断面図である。
【図６】図１に示した反射鏡および蛍光部材の構造を示した正面図である。
【図７】図１に示した反射鏡の反射面で反射される光を上方から見た断面図である。
【図８】図１に示した前照灯の照明領域を説明するための平面図である。
【図９】図１に示したコリメートレンズを透過するレーザ光を説明するための平面図である。
【図１０】図１に示した反射鏡および蛍光部材の構造を示した正面図である。
【図１１】図１に示した反射鏡の反射面で反射される光を上方から見た断面図である。
【図１２】図１に示した前照灯の照明領域を説明するための平面図である。
【図１３】図１に示した前照灯の蛍光部材の被照射領域の直径と、１０ｍ前方における照明領域の直径との関係を示した図である。
【図１４】本発明の第２実施形態による前照灯を備えた自動車の全体構成を概略的に示した側面図である。
【図１５】図１４に示した反射鏡および蛍光部材の構造を上方から見た断面図である。
【図１６】図１４に示した反射鏡および蛍光部材の構造を示した正面図である。
【図１７】図１４に示した反射鏡の反射面で反射される光を上方から見た断面図である。
【図１８】図１４に示した反射鏡および蛍光部材の構造を示した正面図である。
【図１９】図１４に示した反射鏡の反射面で反射される光を上方から見た断面図である。
【図２０】図１４に示した前照灯の照明領域を説明するための平面図である。
【図２１】図１４に示した反射鏡および蛍光部材の構造を示した正面図である。
【図２２】図１４に示した反射鏡の反射面で反射される光を上方から見た断面図である。
【図２３】図１４に示した前照灯の照明領域を説明するための平面図である。
【図２４】本発明の第３実施形態による前照灯の反射鏡および蛍光部材の構造を上方から見た断面図である。
【図２５】本発明の第４実施形態による前照灯の反射鏡および蛍光部材の構造を上方から見た断面図である。
【図２６】本発明の第５実施形態による前照灯の反射鏡および蛍光部材の構造を側方から見た断面図である。
【図２７】図２６に示した反射鏡および蛍光部材の構造を上方から見た断面図である。
【図２８】本発明の第６実施形態による前照灯を備えた自動車の全体構成を概略的に示した側面図である。
【図２９】図２８に示した反射鏡および蛍光部材の構造を示した正面図である。
【図３０】図２８に示した反射鏡および蛍光部材の構造を示した正面図である。
【図３１】図２８に示した反射鏡および蛍光部材の構造を示した正面図である。
【図３２】本発明の第７実施形態による前照灯を備えた自動車の全体構成を概略的に示した平面図である。
【図３３】図３２に示した反射鏡および蛍光部材の構造を示した正面図である。
【図３４】図３２に示した反射鏡の反射面で反射される光を上方から見た断面図である。
【図３５】図３２に示した反射鏡および蛍光部材の構造を示した正面図である。
【図３６】図３２に示した反射鏡の反射面で反射される光を上方から見た断面図である。
【図３７】本発明の第１変形例による前照灯の反射鏡および蛍光部材の構造を上方から見た断面図である。
【図３８】本発明の第２変形例による前照灯の反射鏡および保持部材の構造を上方から見た断面図である。
【図３９】本発明の第３変形例による前照灯の反射鏡の構造を側方から見た断面図である。
【図４０】コリメートレンズを透過するレーザ光を説明するための平面図である。
【図４１】本発明の第４変形例による前照灯の蛍光部材周辺の構造を上方から見た断面図である。
【図４２】図４１に示した反射鏡および蛍光部材の構造を示した正面図である。
【図４３】本発明の第５変形例による前照灯の蛍光部材周辺の構造を上方から見た断面図である。
【図４４】本発明の第６変形例による前照灯の蛍光部材周辺の構造を上方から見た断面図である。
【図４５】本発明の第７変形例による前照灯の構造を上方から見た断面図である。
【発明を実施するための形態】
【００３９】
以下、本発明の実施形態について図面を参照して説明する。なお、理解を容易にするために、断面図であってもハッチングを施さない場合や、断面図でなくてもハッチングを施す場合がある。
【００４０】
（第１実施形態）
まず、図１〜図５を参照して、本発明の第１実施形態による前照灯２を備えた自動車１の構成について説明する。
【００４１】
本発明の第１実施形態による自動車１は、図１に示すように、夜間走行時などに走行方向の前方を照明する前照灯２と、走行用前照灯（ハイビーム）とすれ違い用前照灯（ロービーム）とを切り替えるための切替スイッチ３とを備えている。なお、自動車１は、本発明の「移動体」の一例であり、前照灯２は、本発明の「照明装置」の一例である。
【００４２】
前照灯２は、レーザ光源として機能する複数（例えば１０個）の半導体レーザ素子１１と、半導体レーザ素子１１の出力を調整する出力調整部１２と、半導体レーザ素子１１のレーザ光出射側に配置され、レーザ光を導光する導光部材２０と、半導体レーザ素子１１および導光部材２０の間に配置された集光レンズ１３と、導光部材２０により導光されたレーザ光が照射される蛍光部材１４と、蛍光部材１４を保持する保持部材１５と、蛍光部材１４から出射した光を前方に反射する凹状の反射面３１を有する反射鏡３０とを含んでいる。なお、半導体レーザ素子１１は、本発明の「レーザ発生器」の一例であり、蛍光部材１４は、本発明の「発光部材」の一例である。また、反射鏡３０は、本発明の「投光部材」の一例である。
【００４３】
前照灯２は、例えば、自動車１の左右の前端部に１つずつ設けられている。
【００４４】
半導体レーザ素子１１は、コヒーレンス性を有するレーザ光を出射する機能を有する。また、各半導体レーザ素子１１は、例えば約５．６ｍｍの直径を有するパッケージに収容されている。また、半導体レーザ素子１１は、例えば、約４４５ｎｍに中心波長を有する青色のレーザ光を出射するように構成されている。また、各半導体レーザ素子１１は、ＣＷ（Ｃｏｎｔｉｎｕｏｕｓ  Ｗａｖｅ）駆動で、約１Ｗ以上の高出力が得られるように構成されている。
【００４５】
出力調整部１２は、半導体レーザ素子１１に供給する電力を調整し、半導体レーザ素子１１から出射するレーザ光の出力を調整するように構成されている。なお、出力調整部１２は、前照灯２全体を制御する制御部（図示せず）に接続され、制御部からの制御信号に基づいて、半導体レーザ素子１１に供給する電力を調整するように、構成されていてもよい。
【００４６】
また、出力調整部１２は、後述するように、蛍光部材１４のレーザ光が照射される被照射領域の面積の変更に同期して、半導体レーザ素子１１の出力を調整する機能を有する。
【００４７】
集光レンズ１３は、半導体レーザ素子１１から出射したレーザ光を集光し、導光部材２０の光ファイバ２１に入射させる機能を有する。
【００４８】
導光部材２０は、集光レンズ１３に対向配置された複数の光ファイバ２１と、光ファイバ２１のレーザ光出射面に対向配置されたコリメートレンズ２２と、コリメートレンズ２２を透過したレーザ光の光路上に配置された反射鏡２３とによって構成されている。なお、コリメートレンズ２２は、本発明の「レンズ」の一例である。
【００４９】
各光ファイバ２１は、例えば約１２５μｍの直径を有するコア部と、コア部の外周面を覆うクラッド部とによって形成されている。また、複数の光ファイバ２１のレーザ光出射面側の部分は、束ねられている。
【００５０】
コリメートレンズ２２は、例えば約６ｍｍの直径を有する。また、コリメートレンズ２２は、図２に示すように、光ファイバ２１から出射したレーザ光を、直径が例えば約２ｍｍの平行光にして透過する機能を有する。また、コリメートレンズ２２は、図１に示すように、アクチュエータ１６により、光軸方向（光ファイバ２１の軸方向）に沿って前後方向（Ｚ１方向およびＺ２方向）に所定の距離移動するように形成されている。なお、アクチュエータ１６は、本発明の「照射面積変更部」の一例である。
【００５１】
このアクチュエータ１６は、切替スイッチ３に電気的に接続されており、運転者が切替スイッチ３を操作した際に、光ファイバ２１の軸方向にコリメートレンズ２２の位置を調整（移動）する機能を有する。これにより、後述するように、アクチュエータ１６により、蛍光部材１４のレーザ光が照射される被照射領域の面積が変更される。なお、アクチュエータ１６と切替スイッチ３との間に、前照灯２全体を制御する制御部（図示せず）を設け、制御部を、切替スイッチ３からの切替信号に基づいて、アクチュエータ１６に制御信号を出力するように、構成してもよい。
【００５２】
反射鏡２３は、コリメートレンズ２２からのレーザ光を蛍光部材１４に向かって反射させる機能を有する。
【００５３】
また、第１実施形態では、反射鏡２３は、蛍光部材１４よりも前側（反射鏡３０の光出射方向側）に配置されている。すなわち、半導体レーザ素子１１からのレーザ光は、前側から蛍光部材１４に照射される。これにより、何らかの原因で、例えば蛍光部材１４が保持部材１５から外れた場合であっても、レーザ光がそのまま前方に出射されるのを抑制することが可能である。
【００５４】
蛍光部材１４は、図３および図４に示すように、反射鏡３０の反射面３１の深さ方向（反射面３１の頂点Ｖ１と焦点Ｆ１とを結ぶ軸の延びる方向）と直交（交差）する方向に広がるように形成されている。すなわち、蛍光部材１４は、左右方向（Ｘ方向）および上下方向に広がるように形成されている。なお、Ｘ方向は、本発明の「所定の方向」の一例である。また、蛍光部材１４は、図４に示すように、正面から見て、例えば約２０ｍｍ以上の直径を有する円形状に形成されている。
【００５５】
なお、蛍光部材１４から出射する光は、蛍光部材１４から全方向に出射するので、反射鏡３０を介さずに前方（外部）に出射する光が存在するが、本明細書では、主として、反射鏡３０を介して前方に出射する光について説明する。
【００５６】
また、蛍光部材１４は、図３に示すように、反射面３１（反射鏡３０）の内部と外部との境界に配置されている。また、蛍光部材１４は、図３および図４に示すように、反射鏡３０の反射面３１の焦点Ｆ１を含む領域に配置されており、蛍光部材１４の中心Ｏ１は、反射面３１の焦点Ｆ１と略一致している。なお、蛍光部材１４は、反射面３１の焦点Ｆ１の近傍に配置されていてもよい。
【００５７】
また、蛍光部材１４は、例えば、（Ｙ，Ｇｄ）３Ａｌ５Ｏ１２：Ｃｅの蛍光体粒子の粉末を、約１５％の重量比でＵＶ硬化型樹脂に練り込み、そのＵＶ硬化型樹脂を保持部材１５に約０．５ｍｍの厚みで塗布して硬化させることによって、形成されている。
【００５８】
また、（Ｙ，Ｇｄ）３Ａｌ５Ｏ１２：Ｃｅの蛍光体は、半導体レーザ素子１１からのレーザ光の一部を黄色光（可視光）に変換する機能を有する。そして、黄色光と、蛍光体により波長が変換されなかった青色光とが混色されることによって、白色光が得られる。
【００５９】
保持部材１５は、透光性を有する、例えばガラス板により形成されている。なお、保持部材１５は、少なくとも蛍光部材１４から出射された光を透過する機能を有していればよい。
【００６０】
また、保持部材１５は、図３に示すように、蛍光部材１４が取り付けられる保持面１５ａを有する。この保持面１５ａは、反射鏡３０の反射面３１の深さ方向と直交（交差）する方向に広がるように形成されている。また、保持部材１５は、反射鏡３０の反射面３１の開口部３１ａに取り付けられている。
【００６１】
反射鏡３０は、前方に開口部３１ａが形成された反射面３１を含んでいる。この反射面３１には、例えば、銀やアルミニウムなどがコーティングがされている。
【００６２】
また、反射面３１は、例えば放物面により形成されている。言い換えると、反射面３１は、放物面を、焦点Ｆ１と頂点Ｖ１とを結ぶ軸に直交（交差）する面で分割した形状に形成されている。
【００６３】
また、反射面３１は、図３に示すように、約９０ｍｍの直径（＝Ｄ１）を有するとともに、約２２．５ｍｍの深さ（＝Ｈ１）を有する。また、反射面３１は、焦点Ｆ１および頂点Ｖ１を有しており、反射面３１の焦点Ｆ１は、反射面３１の頂点Ｖ１から約２２．５ｍｍ離れた部分に位置している。
【００６４】
また、反射鏡３０は、図５に示すように、蛍光部材１４（図３参照）の中心Ｏ１（反射面３１の焦点Ｆ１（図３参照）に位置する蛍光部材１４の部分）からの光を平行光にして前方に反射するように形成されている。
【００６５】
ただし、蛍光部材１４の発光部（蛍光部材１４のレーザ光が照射される被照射領域）は、直径が例えば約２ｍｍ以上の大きさを有しているので、反射鏡３０から出射する光は完全な平行光にはならない。
【００６６】
次に、図１、図２および図６〜図１３を参照して、前照灯２の動作について説明する。
【００６７】
前照灯２が、例えば走行用前照灯（ハイビーム）として設定されている状態では、図６に示すように、半導体レーザ素子１１から出射し導光部材２０により導光されたレーザ光は、蛍光部材１４の被照射領域Ｒ１（蛍光部材１４の中心Ｏ１を含む領域）（ハッチング領域）に照射される。なお、前照灯２が走行用前照灯として設定されている状態では、蛍光部材１４の被照射領域Ｒ１は、例えば、約２ｍｍの直径（スポット径）を有している。
【００６８】
ここで、図７に示すように、例えば、蛍光部材１４の被照射領域Ｒ１（図６参照）の左端部の位置Ｐ１ａから出射した光は、被照射領域Ｒ１の中心位置（被照射位置）Ｐ１から出射した光に比べて、最大で約２．５度右側（Ｘ１方向側）に出射する。また、被照射領域Ｒ１の右端部の位置Ｐ１ｂから出射した光は、被照射領域Ｒ１の中心位置（被照射位置）Ｐ１から出射した光に比べて、最大で約２．５度左側（Ｘ２方向側）に出射する。これにより、反射鏡３０で反射された光は、図８に示すように、前照灯２（自動車１）の約１０ｍ（＝Ｌ１）前方において、左右方向（Ｘ方向）に約０．９ｍ（＝Ｗ１）の幅の領域（照明領域Ｓ１（ハッチング領域））を照明することになる。
【００６９】
一方、走行用前照灯とすれ違い用前照灯（ロービーム）とを切り替える切替スイッチ３を運転者が操作し、前照灯２がすれ違い用前照灯として設定された場合、アクチュエータ１６（図１参照）により、コリメートレンズ２２の位置が変更（移動）される。
【００７０】
具体的には、前照灯２がすれ違い用前照灯として設定された場合、コリメートレンズ２２は、アクチュエータ１６により、光軸方向（光ファイバ２１の軸方向）に沿った前後方向（Ｚ１方向またはＺ２方向）に所定の距離（例えば、約２ｍｍ〜約３ｍｍ）移動される。すなわち、コリメートレンズ２２は、例えば、図２の位置から図９の位置に移動される。
【００７１】
これにより、図９に示すように、コリメートレンズ２２を透過したレーザ光は、所定の広がり角γ１を有した状態で進行する。このため、蛍光部材１４の被照射領域は、Ｒ１（図６参照）からＲ２（図１０参照）に変更される。なお、前照灯２がすれ違い用前照灯として設定されている状態では、蛍光部材１４の被照射領域Ｒ２は、例えば、約２０ｍｍの直径（スポット径）を有している。すなわち、蛍光部材１４の被照射領域の、Ｘ方向の長さ、および、Ｘ方向に直交する方向（上下方向）の長さが変更され、蛍光部材１４の被照射領域Ｒ２の面積は、被照射領域Ｒ１の面積に比べて、大きくなる。
【００７２】
ここで、図１１に示すように、例えば、蛍光部材１４の被照射領域Ｒ２（図１０参照）の左端部の位置Ｐ２ａから出射した光は、被照射領域Ｒ２の中心位置（被照射位置）Ｐ２から出射した光に比べて、最大で約２４度右側（Ｘ１方向側）に出射する。また、被照射領域Ｒ２の右端部の位置Ｐ２ｂから出射した光は、被照射領域Ｒ２の中心位置（被照射位置）Ｐ２から出射した光に比べて、最大で約２４度左側（Ｘ２方向側）に出射する。これにより、反射鏡３０で反射された光は、図１２に示すように、前照灯２（自動車１）の約１０ｍ（＝Ｌ１）前方において、左右方向（Ｘ方向）に約９ｍ（＝Ｗ２）の幅の領域（照明領域Ｓ２（ハッチング領域））を照明することになる。このように、前照灯２の照明領域Ｓ２の面積が、照明領域Ｓ１の面積に比べて、大きくなる。
【００７３】
すなわち、蛍光部材１４の被照射領域の面積を大きく（または小さく）することにより、前照灯２の照明領域の面積を大きく（または小さく）制御することが可能である。なお、蛍光部材１４の被照射領域（発光部）の直径と、１０ｍ前方における照明領域の直径（または幅）との関係を図示すると、図１３のようになる。
【００７４】
また、図８の状態から図１２の状態になると、照明領域の面積が増加するので、照明領域Ｓ２が暗くなる。そこで、第１実施形態では、出力調整部１２により、蛍光部材１４の被照射領域の面積の変更に同期して、各半導体レーザ素子１１から出射されるレーザ光の出力が増加され、照明領域の照度が略一定に保持される。
【００７５】
なお、上記の説明では、照明領域のＸ方向（水平方向）の幅（長さ）が大きくなることを説明したが、照明領域の上下方向（Ｘ方向と直交する方向）の高さ（長さ）も、大きくなる。
【００７６】
第１実施形態では、上記のように、アクチュエータ１６を用いて、蛍光部材１４の被照射領域の面積を変更することにより、前照灯２の照明領域（前照灯２が照明する領域）の面積を変更することができる。このため、前照灯２の照明領域の面積を変更するために、例えば、すれ違い用前照灯と走行用前照灯とを別々に設ける必要がない。その結果、前照灯２全体が大型化するのを抑制することができる。
【００７７】
また、第１実施形態では、上記のように、励起光としてレーザ光を用いることによって、蛍光部材１４の被照射領域を、容易に狭く（小さく）することができる。すなわち、蛍光部材１４の一部のみを照射することも、容易にできる。これにより、蛍光部材１４の被照射領域の面積を、容易に変更することができる。
【００７８】
また、第１実施形態では、上記のように、蛍光部材１４の被照射領域の水平方向（Ｘ方向）の長さを、アクチュエータ１６により変更することによって、容易に、前照灯２の照明領域の水平方向（Ｘ方向）の長さを変更することができる。
【００７９】
また、第１実施形態では、上記のように、蛍光部材１４を、反射面３１の焦点Ｆ１を含む領域に配置する。これにより、蛍光部材１４の被照射領域の面積を変更することにより、容易に、前照灯２の照明領域の面積を変更することができる。
【００８０】
また、蛍光部材１４の被照射位置を反射面３１の焦点Ｆ１に位置させ、かつ、蛍光部材１４の被照射領域を狭く（小さく）した場合、前照灯２から外部に出射する光（照明光）を、容易に、略平行光にすることができる。また、蛍光部材１４の被照射位置を反射面３１の焦点Ｆ１に位置させた場合、前照灯２の照明領域が、例えば、ドーナツ型（円盤状）になったり、極端に暗くなったりするのを抑制することができる。
【００８１】
また、第１実施形態では、上記のように、コリメートレンズ２２を光軸方向に沿って移動させるだけで、レーザ光の広がり角を変更することができるとともに、蛍光部材１４の被照射領域の面積を変更することができる。
【００８２】
なお、蛍光部材１４の被照射領域の面積を変更するには、コリメートレンズ２２を光軸方向に沿って移動させるだけでよいので、アクチュエータ１６を、十分に小型化することができる。
【００８３】
また、第１実施形態では、上記のように、半導体レーザ素子１１から出射したレーザ光を平行光にするコリメートレンズ２２を設ける。これにより、蛍光部材１４の被照射領域を、より容易に狭く（小さく）することができる。
【００８４】
（第２実施形態）
この第２実施形態では、図１４〜図２３を参照して、上記第１実施形態と異なり、反射面１３１の焦点Ｆ１０１が頂点Ｖ１０１の近傍に位置している場合について説明する。
【００８５】
まず、図１４〜図１７を参照して、本発明の第２実施形態による前照灯１０２を備えた自動車１０１の構成について説明する。
【００８６】
本発明の第２実施形態による自動車１０１は、図１４に示すように、前照灯１０２と、切替スイッチ３とを備えている。なお、自動車１０１は、本発明の「移動体」の一例であり、前照灯１０２は、本発明の「照明装置」の一例である。
【００８７】
前照灯１０２は、複数（例えば１０個）の半導体レーザ素子１１１と、出力調整部１２と、導光部材２０と、集光レンズ１３と、蛍光部材１１４と、保持部材１１５と、反射面１３１を有する反射鏡１３０とを含んでいる。なお、半導体レーザ素子１１１は、本発明の「レーザ発生器」の一例であり、蛍光部材１１４は、本発明の「発光部材」の一例である。また、反射鏡１３０は、本発明の「投光部材」の一例である。
【００８８】
半導体レーザ素子１１１は、例えば、約４０５ｎｍに中心波長を有する青紫色のレーザ光を出射するように構成されている。
【００８９】
蛍光部材１１４は、図１５に示すように、反射鏡１３０の反射面１３１の深さ方向（反射面１３１の頂点Ｖ１０１と焦点Ｆ１０１とを結ぶ軸の延びる方向）と直交（交差）する方向に広がるように形成されている。また、蛍光部材１１４は、図１６に示すように、例えば約１０ｍｍ以上の直径を有する円形状に形成されている。
【００９０】
また、蛍光部材１１４は、図１５および図１６に示すように、反射鏡１３０の反射面１３１の焦点Ｆ１０１を含む領域に配置されており、蛍光部材１１４の中心Ｏ１０１は、反射面１３１の焦点Ｆ１０１と略一致している。
【００９１】
また、蛍光部材１１４は、例えば、Ｃｅ３＋賦活α−ＳｉＡｌＯＮの蛍光体粒子と、ＣａＡｌＳｉＮ３：Ｅｕ２＋の蛍光体粒子との混合粉末を、約３０％の重量比でＵＶ硬化型樹脂に練り込み、そのＵＶ硬化型樹脂を保持部材１１５に約０．２ｍｍの厚みで塗布して硬化させることによって、形成されている。
【００９２】
また、Ｃｅ３＋賦活α−ＳｉＡｌＯＮの蛍光体は、半導体レーザ素子１１１からのレーザ光を約５２０ｎｍに中心波長を有する青緑色光（可視光）に変換する機能を有する。また、ＣａＡｌＳｉＮ３：Ｅｕ２＋の蛍光体は、半導体レーザ素子１１１からのレーザ光を約６３０ｎｍに中心波長を有する赤色光（可視光）に変換する機能を有する。そして、これらの光が混色されることによって、白色光が得られる。
【００９３】
保持部材１１５は、アルミニウムや銅などからなる高い熱伝導率を有する金属板により形成されており、蛍光部材１１４で発生した熱を反射鏡１３０に伝達する機能を有する。また、保持部材１１５の保持面１１５ａは、銀メッキなどが施されていてもよく、蛍光部材１１４から出射した光を反射する機能を有していてもよい。
【００９４】
また、第２実施形態では、図１５に示すように、保持部材１１５は、反射鏡１３０の反射面１３１の頂点Ｖ１０１の近傍に取り付けられている。
【００９５】
ここで、第２実施形態では、反射鏡１３０の反射面１３１は、深穴形状に形成されており、アスペクト比（深さ／直径）が１以上になるように形成されている。具体的には、反射面１３１は、約６０ｍｍの直径（＝Ｄ１０１）を有するとともに、約８０ｍｍの深さ（＝Ｈ１０１）を有する。また、反射面１３１の焦点Ｆ１０１は、反射面１３１の頂点Ｖ１０１の近傍（頂点Ｖ１０１から約２．８ｍｍ離れた部分）に位置している。すなわち、蛍光部材１１４は、反射面１３１（反射鏡１３０）の頂点Ｖ１０１の近傍に配置されている。
【００９６】
また、反射鏡１３０には、図１４に示すように、貫通穴１３０ａが形成されており、この貫通穴１３０ａを介して、レーザ光が蛍光部材１１４に照射される。
【００９７】
また、第２実施形態では、反射鏡１３０は、蛍光部材１１４からレーザ光を照射した側（前側）に出射した光を、前方に反射させるように形成されている。
【００９８】
また、反射鏡１３０は、図１７に示すように、蛍光部材１１４（図１５参照）の中心Ｏ１０１（反射面１３１の焦点Ｆ１０１に位置する蛍光部材１１４の部分）からの光を平行光にして前方に反射するように形成されている。
【００９９】
なお、第２実施形態のその他の構造は、上記第１実施形態と同様である。
【０１００】
次に、図１４および図１８〜図２３を参照して、前照灯１０２の動作について説明する。
【０１０１】
前照灯１０２が、例えば走行用前照灯（ハイビーム）として設定されている状態では、図１８に示すように、半導体レーザ素子１１１から出射し導光部材２０により導光されたレーザ光は、蛍光部材１１４の被照射領域Ｒ１０１（蛍光部材１１４の中心Ｏ１０１を含む領域）（ハッチング領域）に照射される。なお、前照灯１０２が走行用前照灯として設定されている状態では、蛍光部材１１４の被照射領域Ｒ１０１は、例えば、約２ｍｍの直径を有している。
【０１０２】
ここで、図１９に示すように、例えば、蛍光部材１１４の被照射領域Ｒ１０１（図１８参照）の左端部の位置Ｐ１０１ａから出射した光は、被照射領域Ｒ１０１の中心位置（被照射位置）Ｐ１０１から出射した光に比べて、左側（Ｘ２方向側）に出射する。また、被照射領域Ｒ１０１の右端部の位置Ｐ１０１ｂから出射した光は、被照射領域Ｒ１０１の中心位置（被照射位置）Ｐ１０１から出射した光に比べて、右側（Ｘ１方向側）に出射する。そして、反射鏡１３０で反射された光は、図２０に示すように、前照灯１０２（自動車１０１）の約１０ｍ（＝Ｌ１０１）前方において、左右方向（Ｘ方向）に約０．７ｍ（＝Ｗ１０１）の幅の領域（照明領域Ｓ１０１（ハッチング領域））を照明することになる。
【０１０３】
一方、走行用前照灯とすれ違い用前照灯（ロービーム）とを切り替える切替スイッチ３を運転者が操作し、前照灯１０２がすれ違い用前照灯として設定された場合、アクチュエータ１６（図１４参照）により、コリメートレンズ２２の位置が変更（移動）される。
【０１０４】
具体的には、前照灯１０２がすれ違い用前照灯として設定された場合、コリメートレンズ２２は、アクチュエータ１６により、光ファイバ２１の軸方向に沿った前後方向（Ｚ１方向またはＺ２方向）に所定の距離移動される。
【０１０５】
これにより、蛍光部材１１４の被照射領域は、Ｒ１０１（図１８参照）からＲ１０２（図２１参照）に変更される。なお、前照灯１０２がすれ違い用前照灯として設定されている状態では、蛍光部材１１４の被照射領域Ｒ１０２は、例えば、約１０ｍｍの直径を有している。
【０１０６】
ここで、図２２に示すように、例えば、蛍光部材１１４の被照射領域Ｒ１０２（図２１参照）の左端部の位置Ｐ１０２ａから出射した光は、被照射領域Ｒ１０２の中心位置（被照射位置）Ｐ１０２から出射した光に比べて、最大で約９．４度左側（Ｘ２方向側）に出射する。また、被照射領域Ｒ１０２の右端部の位置Ｐ１０２ｂから出射した光は、被照射領域Ｒ１０２の中心位置（被照射位置）Ｐ１０２から出射した光に比べて、最大で約９．４度右側（Ｘ１方向側）に出射する。これにより、反射鏡１３０で反射された光は、図２３に示すように、前照灯１０２（自動車１０１）の約１０ｍ（＝Ｌ１０１）前方において、左右方向（Ｘ方向）に約３．３ｍ（＝Ｗ１０２）の幅の領域（照明領域Ｓ１０２（ハッチング領域））を照明することになる。このように、前照灯１０２の照明領域Ｓ１０２の面積が、照明領域Ｓ１０１の面積に比べて、大きくなる。
【０１０７】
なお、第２実施形態のその他の動作は、上記第１実施形態と同様である。
【０１０８】
第２実施形態では、上記のように、保持部材１１５を、金属製にすることによって、蛍光部材１１４で発生する熱を、保持部材１１５に放熱させることができるので、蛍光部材１１４が高温になるのを抑制することができる。
【０１０９】
また、第２実施形態では、上記のように、反射面１３１の焦点Ｆ１０１を、反射面１３１の頂点Ｖ１０１の近傍に位置させることによって、反射面１３１を、頂点Ｖ１０１（焦点Ｆ１０１）位置が深く、かつ、直径（＝Ｄ１０１）が小さい深穴形状に形成することができる。これにより、蛍光部材１１４から出射した光の大部分を、反射面１３１で反射させた後に外部に出射させることができる。その結果、前照灯１０２の照明領域の面積を、効果的に変更することができる。また、反射鏡１３０を介さずに外部に出射する光の広がり角が大きくなるのを、抑制することができる。
【０１１０】
また、第２実施形態では、上記のように、蛍光部材１１４からレーザ光を照射した側（前側）に出射した光を、反射鏡１３０で反射させる。蛍光部材１１４は、レーザ光が照射された部分が、最も明るく、出射する光の量が、最も多くなる。このため、上記のように、蛍光部材１１４からレーザ光を照射した側（前側）に出射した光を、反射鏡１３０で反射させることによって、上記第１実施形態（蛍光部材１４からレーザ光を照射した側とは反対側（後側）に出射した光を、反射鏡３０で反射させる場合）に比べて、光の利用効率を向上させることができる。
【０１１１】
第２実施形態のその他の効果は、上記第１実施形態と同様である。
【０１１２】
（第３実施形態）
この第３実施形態では、図２４を参照して、上記第１実施形態と異なり、レーザ光を蛍光部材２１４の後側から照射する場合について説明する。
【０１１３】
本発明の第３実施形態による前照灯では、図２４に示すように、反射鏡２３０の、反射面２３１の頂点を含む部分に、開口部２３０ａが形成されている。なお、反射鏡２３０は、本発明の「投光部材」の一例である。
【０１１４】
また、蛍光部材２１４は、上記第２実施形態の蛍光部材１１４と同様、例えば、Ｃｅ３＋賦活α−ＳｉＡｌＯＮの蛍光体粒子と、ＣａＡｌＳｉＮ３：Ｅｕ２＋の蛍光体粒子との混合粉末を、約３０％の重量比でＵＶ硬化型樹脂に練り込み、そのＵＶ硬化型樹脂を保持部材１５に約０．２ｍｍの厚みで塗布して硬化させることによって、形成されている。なお、蛍光部材２１４は、本発明の「発光部材」の一例である。
【０１１５】
また、第３実施形態では、上記第２実施形態と同様、レーザ光源として半導体レーザ素子１１１を用いる。
【０１１６】
そして、第３実施形態では、レーザ光は、反射鏡２３０の開口部２３０ａを介して、後側から蛍光部材２１４に照射される。
【０１１７】
なお、第３実施形態のその他の構造は、上記第１実施形態と同様である。
【０１１８】
また、第３実施形態の動作および効果は、上記第１および第２実施形態と同様である。
【０１１９】
（第４実施形態）
この第４実施形態では、図２５を参照して、上記第２実施形態と異なり、レーザ光を蛍光部材３１４の後側から照射する場合について説明する。
【０１２０】
本発明の第４実施形態による前照灯では、図２５に示すように、反射鏡３３０の、反射面３３１の頂点を含む部分に、開口部３３０ａが形成されている。なお、反射鏡３３０は、本発明の「投光部材」の一例である。
【０１２１】
また、蛍光部材３１４は、上記第１実施形態の蛍光部材１４と同様、例えば、（Ｙ，Ｇｄ）３Ａｌ５Ｏ１２：Ｃｅの蛍光体粒子を、約１５％の重量比でＵＶ硬化型樹脂に練り込み、そのＵＶ硬化型樹脂を保持部材３１５に約０．５ｍｍの厚みで塗布して硬化させることによって、形成されている。なお、蛍光部材３１４は、本発明の「発光部材」の一例である。
【０１２２】
また、第４実施形態では、上記第１実施形態と同様、レーザ光源として半導体レーザ素子１１を用いる。
【０１２３】
また、保持部材３１５は、透光性を有する、例えばガラス板により形成されている。なお、保持部材３１５は、少なくともレーザ光を透過する機能を有していればよい。
【０１２４】
そして、第４実施形態では、レーザ光は、反射鏡３３０の開口部３３０ａを介して、後側から蛍光部材３１４に照射される。
【０１２５】
なお、第４実施形態のその他の構造は、上記第２実施形態と同様である。
【０１２６】
また、第４実施形態の動作および効果は、上記第１および第２実施形態と同様である。
【０１２７】
（第５実施形態）
この第５実施形態では、図２６および図２７を参照して、上記第２実施形態と異なり、蛍光部材４１４の下側に反射鏡４３０が設けられていない場合について説明する。
【０１２８】
本発明の第５実施形態による前照灯では、図２６に示すように、反射鏡４３０の反射面４３１は、放物面を、頂点Ｖ４０１と焦点Ｆ４０１とを結ぶ軸に直交（交差）する面で分割し、かつ、頂点Ｖ４０１と焦点Ｆ４０１とを結ぶ軸に平行な面で分割した形状に形成されている。
【０１２９】
すなわち、反射鏡４３０は、上記第２実施形態の反射鏡１３０の下側の略半分を切り取った形状に形成されており、蛍光部材４１４の下側には、反射鏡４３０が設けられていない。なお、蛍光部材４１４は、本発明の「発光部材」の一例であり、反射鏡４３０は、本発明の「投光部材」の一例である。
【０１３０】
また、反射鏡４３０には、貫通穴４３０ａが形成されており、この貫通穴４３０ａを介して、レーザ光が蛍光部材４１４に照射される。
【０１３１】
また、第５実施形態では、保持部材４１５は、反射鏡４３０の下側を覆うように配置されている。すなわち、保持部材４１５の保持面４１５ａは、反射鏡４３０の反射面４３１の深さ方向（頂点Ｖ４０１と焦点Ｆ４０１とを結ぶ軸の延びる方向）およびＸ方向（図２７参照）に広がるように形成されている。
【０１３２】
また、保持部材４１５は、金属板により形成されており、蛍光部材４１４で発生した熱を、放熱したり反射鏡４３０に伝達する機能を有する。なお、保持部材４１５の保持面４１５ａは、蛍光部材４１４から出射した光を反射する機能を有していてもよい。
【０１３３】
また、蛍光部材４１４は、図２６および図２７に示すように、反射面４３１の焦点Ｆ４０１を含む領域に配置されており、蛍光部材４１４の中心Ｏ４０１は、反射面４３１の焦点Ｆ４０１と略一致している。
【０１３４】
また、第５実施形態では、蛍光部材４１４は、反射面４３１の深さ方向およびＸ方向に広がるように形成されている。そして、蛍光部材４１４の被照射領域の、反射面４３１の深さ方向の長さ、および、Ｘ方向の長さが変更されることにより、蛍光部材４１４の被照射領域の面積が変更される。
【０１３５】
また、蛍光部材４１４は、上記第２および第３実施形態と同様、例えば、Ｃｅ３＋賦活α−ＳｉＡｌＯＮの蛍光体粒子と、ＣａＡｌＳｉＮ３：Ｅｕ２＋の蛍光体粒子との混合粉末を、約３０％の重量比でＵＶ硬化型樹脂に練り込み、そのＵＶ硬化型樹脂を保持部材４１５に約０．２ｍｍの厚みで塗布して硬化させることによって、形成されている。
【０１３６】
また、第５実施形態では、上記第２および第３実施形態と同様、レーザ光源として半導体レーザ素子１１１を用いる。
【０１３７】
なお、第５実施形態のその他の構造および動作は、上記第２実施形態と同様である。
【０１３８】
第５実施形態では、上記のように、反射面４３１（反射鏡４３０）を、放物面を焦点Ｆ４０１と頂点Ｖ４０１とを結ぶ軸に交差する面で分割し、かつ、焦点Ｆ４０１と頂点Ｖ４０１とを結ぶ軸に平行な面で分割した形状に、形成する。これにより、反射鏡４３０および前照灯を小型化することができる。
【０１３９】
第５実施形態のその他の効果は、上記第２実施形態と同様である。
【０１４０】
（第６実施形態）
この第６実施形態では、図２８〜図３１を参照して、上記第１〜第５実施形態と異なり、蛍光部材５１４の被照射領域を横長形状に変更する場合について説明する。
【０１４１】
まず、図２８および図２９を参照して、本発明の第６実施形態による前照灯５０２を備えた自動車５０１の構成について説明する。
【０１４２】
本発明の第６実施形態による自動車５０１は、図２８に示すように、前照灯５０２と、切替スイッチ３とを備えている。なお、自動車５０１は、本発明の「移動体」の一例であり、前照灯５０２は、本発明の「照明装置」の一例である。
【０１４３】
第６実施形態では、導光部材５２０は、複数の光ファイバ２１と、光ファイバ２１のレーザ光出射面に対向配置されたレンズ５２２ａと、レンズ５２２ａを透過したレーザ光の光路上に配置されたレンズ５２２ｂと、反射鏡２３とによって構成されている。なお、レンズ５２２ｂは、本発明の「レンズ」の一例である。
【０１４４】
レンズ５２２ａは、例えばシリンドリカルレンズにより形成されており、透過する光を、上下方向（Ｘ方向と直交する方向）に集光する（屈折させる）機能を有する。また、レンズ５２２ｂは、例えばシリンドリカルレンズにより形成されており、透過する光を、水平方向（Ｘ方向）に集光する（屈折させる）機能を有する。
【０１４５】
そして、レンズ５２２ａおよび５２２ｂは、光ファイバ２１から出射したレーザ光を平行光にして透過するコリメートレンズとして機能する。
【０１４６】
また、第６実施形態では、レンズ５２２ｂは、アクチュエータ１６により、光ファイバ２１の軸方向に沿って前後方向（Ｚ１方向およびＺ２方向）に所定の距離移動するように形成されている。
【０１４７】
また、第６実施形態では、図２９に示すように、蛍光部材５１４は、左右方向（水平方向）（Ｘ方向）に延びる横長形状（細長形状）に形成されている。蛍光部材５１４は、本発明の「発光部材」の一例である。
【０１４８】
なお、第６実施形態のその他の構造は、上記第２実施形態と同様である。
【０１４９】
次に、図２８、図３０および図３１を参照して、前照灯５０２の動作について説明する。
【０１５０】
前照灯５０２が、例えば走行用前照灯（ハイビーム）として設定されている状態では、図３０に示すように、蛍光部材５１４の被照射領域Ｒ５０１（ハッチング領域）は、略円形状になっている。
【０１５１】
一方、前照灯５０２がすれ違い用前照灯（ロービーム）として設定された場合、アクチュエータ１６（図２８参照）により、レンズ５２２ｂの位置が変更（移動）される。
【０１５２】
具体的には、前照灯５０２がすれ違い用前照灯として設定された場合、レンズ５２２ｂは、アクチュエータ１６により、光ファイバ２１の軸方向に沿った前後方向（Ｚ１方向またはＺ２方向）に所定の距離移動される。
【０１５３】
これにより、レンズ５２２ｂを透過したレーザ光は、水平方向（Ｘ方向）に所定の広がり角を有した状態で進行する。このため、図３１に示すように、蛍光部材５１４の被照射領域Ｒ５０２（ハッチング領域）は、水平方向（Ｘ方向）に延びる楕円形状（横長形状）に変更される。なお、蛍光部材５１４の被照射領域の水平方向（Ｘ方向）の長さは大きくなる。その一方、蛍光部材５１４の被照射領域の上下方向（Ｘ方向と直交する方向）の長さは変更されない。
【０１５４】
そして、前照灯５０２の照明領域は、水平方向（Ｘ方向）に広く（大きく）なる。
【０１５５】
なお、第６実施形態のその他の動作は、上記第１実施形態と同様である。
【０１５６】
第６実施形態では、上記のように、蛍光部材５１４の被照射領域Ｒ５０２を、水平方向（Ｘ方向）に延びる横長形状に変更することによって、前照灯２の照明領域を、上下方向に広くなるのを抑制しながら、水平方向に広くすることができる。
【０１５７】
第６実施形態のその他の効果は、上記第２実施形態と同様である。
【０１５８】
（第７実施形態）
この第７実施形態では、図３２〜図３６を参照して、上記第１〜第６実施形態と異なり、蛍光部材１４の被照射位置も変更される場合について説明する。
【０１５９】
まず、図３２を参照して、本発明の第７実施形態による前照灯６０２を備えた自動車６０１の構成について説明する。
【０１６０】
本発明の第７実施形態による自動車６０１は、図３２に示すように、前照灯６０２と、ハンドルや車輪（図示せず）などから自動車６０１の舵角を検出する舵角検出器６０３とを備えている。なお、自動車６０１は、本発明の「移動体」の一例であり、前照灯６０２は、本発明の「照明装置」の一例である。
【０１６１】
前照灯６０２は、複数（例えば１０個）の半導体レーザ素子１１と、出力調整部６１２と、導光部材６２０と、集光レンズ１３と、蛍光部材１４と、保持部材１５と、反射面３１を有する反射鏡３０とを含んでいる。
【０１６２】
出力調整部６１２は、後述するように、蛍光部材１４の被照射領域の面積の変更や、蛍光部材１４のレーザ光が照射される被照射位置（被照射領域の中心位置）の変更に同期して、半導体レーザ素子１１の出力を調整する機能を有する。
【０１６３】
導光部材６２０は、複数の光ファイバ２１と、コリメートレンズ２２と、反射鏡６２３とによって構成されている。
【０１６４】
コリメートレンズ２２は、アクチュエータ６１６により、光ファイバ２１の軸方向に沿って前後方向（Ｚ１方向およびＺ２方向）に所定の距離移動するように形成されている。なお、アクチュエータ６１６は、本発明の「照射面積変更部」の一例である。
【０１６５】
このアクチュエータ６１６は、舵角検出器６０３に電気的に接続されており、舵角検出器６０３が検出した舵角に基づいて、光ファイバ２１の軸方向にコリメートレンズ２２の位置を調整（移動）する機能を有する。
【０１６６】
反射鏡６２３は、コリメートレンズ２２からのレーザ光を蛍光部材１４に向かって反射させる機能を有する。
【０１６７】
ここで、第７実施形態では、反射鏡６２３は、アクチュエータ６１７により、左右方向（β１方向およびβ２方向）に所定の角度範囲で回動するように形成されている。なお、アクチュエータ６１７は、本発明の「照射位置変更部」の一例である。
【０１６８】
このアクチュエータ６１７は、舵角検出器６０３に電気的に接続されており、舵角検出器６０３が検出した舵角に基づいて、光ファイバ２１の軸方向に対する反射鏡６２３の角度を調整する機能を有する。これにより、蛍光部材１４の被照射位置は、アクチュエータ６１７により、例えばＸ方向に移動（変更）され、かつ、移動後に停止される。なお、アクチュエータ６１７と舵角検出器６０３との間に、前照灯６０２全体を制御する制御部（図示せず）を設け、制御部を、舵角検出器６０３からの検出信号に基づいて、アクチュエータ６１７に制御信号を出力するように、構成してもよい。
【０１６９】
なお、被照射位置を移動させ、かつ、移動後に停止させる、とは、レーザ光による被照射位置を走査（スキャン）し続けることではなく、被照射位置を所望の位置に移動させて、移動先で実質的に静止させることを意図する。実質的に静止させるとは、移動先にて移動範囲よりも狭い範囲で被照射位置を揺動する状態を含む。また、被照射位置が移動先にて一瞬静止した後に戻ってくる動作なども、被照射位置を所望の位置に移動させて、移動先で実質的に静止させたと言える。
【０１７０】
第７実施形態のその他の構造は、上記第１実施形態と同様である。
【０１７１】
次に、図３２〜図３６を参照して、前照灯６０２の動作について説明する。
【０１７２】
自動車６０１が正面方向に向かって直進している状態では、図３３に示すように、蛍光部材１４の被照射領域Ｒ６０１（ハッチング領域）の中心位置（被照射位置）Ｐ６０１は、反射鏡３０の反射面３１の焦点Ｆ１（中心Ｏ１）に位置する。そして、図３４に示すように、被照射位置Ｐ６０１から出射した光は、反射鏡３０で反射され、平行光となって、自動車６０１の正面方向（Ｘ方向と直交する方向）に、出射される。なお、被照射領域Ｒ６０１（図３３参照）から出射した光は、上述のように、所定の広がり角を有した状態で、前照灯６０２から出射される。
【０１７３】
一方、自動車６０１が、例えば右折する場合、運転者によりハンドル（図示せず）が操作され、自動車６０１に舵角が付与される。このとき、舵角検出器６０３（図３２参照）により、自動車６０１の舵角が検出される。
【０１７４】
ここで、第７実施形態では、舵角検出器６０３が検出した舵角に基づいて、アクチュエータ６１７（図３２参照）により、反射鏡６２３（図３２参照）の角度が変更される。
【０１７５】
具体的には、自動車６０１に、例えば右側（Ｘ１方向側）に舵角が付与された場合、反射鏡６２３は、アクチュエータ６１７により、右方向（β２（図３２参照）方向）に角度が変更される。
【０１７６】
これにより、レーザ光の進行方向が変更され、蛍光部材１４の被照射位置は、Ｐ６０１（図３３参照）からＰ６０２（図３５参照）に変更（移動）される。そして、図３６に示すように、被照射位置Ｐ６０２から出射した光は、反射鏡３０で反射され、右斜め前方に出射される。すなわち、前照灯６０２の照明方向（前照灯６０２が照明する方向）が変更される。
【０１７７】
また、このとき、舵角検出器６０３が検出した舵角に基づいて、アクチュエータ６１６（図３２参照）により、コリメートレンズ２２の位置が変更される。これにより、蛍光部材１４の被照射領域Ｒ６０２（図３５参照）の面積が、被照射領域Ｒ６０１（図３３参照）の面積に比べて、大きくなる。その結果、前照灯６０２の照明領域の面積が、さらに大きくなる。なお、蛍光部材１４の被照射領域Ｒ６０２は、例えば、約２ｍｍよりも大きく、かつ、約１０ｍｍよりも小さい直径を有する。
【０１７８】
第７実施形態のその他の動作は、上記第１実施形態と同様である。
【０１７９】
第７実施形態では、上記のように、蛍光部材１４の被照射位置を変更するためのアクチュエータ６１７と、蛍光部材１４の被照射領域の面積を変更するためのアクチュエータ６１６とを設ける。これにより、前照灯６０２の照明方向と照明領域の面積との両方を制御（変更）することができる。
【０１８０】
第７実施形態のその他の効果は、上記第１実施形態と同様である。
【０１８１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１８２】
例えば、上記実施形態では、本発明の前照灯を、自動車に用いた例について示したが、本発明はこれに限らず、本発明の前照灯を、飛行機、船舶、ロボット、バイクまたは自転車や、その他の移動体に用いてもよい。
【０１８３】
また、上記実施形態では、本発明の照明装置を、前照灯に適用した例について示したが、本発明はこれに限らず、本発明の照明装置を、ダウンライトまたはスポットライトや、その他の照明装置に適用してもよい。
【０１８４】
また、上記実施形態では、白色光を出射するように、半導体レーザ素子や蛍光体を構成した例について示したが、本発明はこれに限らず、白色光以外の可視光を出射するように、半導体レーザ素子や蛍光体を構成してもよい。
【０１８５】
また、上記実施形態では、レーザ光を出射するレーザ発生器として、半導体レーザ素子を用いた例について示したが、本発明はこれに限らず、半導体レーザ素子以外のレーザ発生器を用いてもよい。
【０１８６】
また、上記実施形態で示した数値は一例であり、各数値は限定されない。
【０１８７】
また、上記実施形態の半導体レーザ素子から出射するレーザ光の中心波長や、蛍光部材を構成する蛍光体の種類は、適宜変更可能である。
【０１８８】
また、上記実施形態では、導光部材を、光ファイバ、レンズ（コリメートレンズ）および反射鏡により構成した例について示したが、本発明はこれに限らず、導光部材は、必要に応じて、光ファイバ、レンズ（コリメートレンズ）および反射鏡のうちの１つまたは２つを用いて構成してもよい。
【０１８９】
また、上記実施形態では、半導体レーザ素子から出射されたレーザ光を蛍光部材に導光するために、導光部材を設けた例について示したが、本発明はこれに限らず、導光部材を設けなくてもよい。
【０１９０】
また、上記実施形態では、レンズ（コリメートレンズ）の位置を変更（移動）することにより、蛍光部材の被照射領域の面積を変更する例について示したが、本発明はこれに限らず、光ファイバのレーザ光出射端の位置を変更することにより、蛍光部材の被照射領域の面積を変更してもよい。また、コリメートレンズを用いず、広がり角を有するレーザ光が蛍光部材に照射されるように構成し、反射鏡２３（または半導体レーザ素子など）の位置を変更することにより、蛍光部材の被照射領域の面積を変更してもよい。
【０１９１】
また、上記実施形態では、保持部材の保持面および蛍光部材を、反射面の深さ方向、または、反射面の深さ方向と直交する方向に延びるように形成した例について示したが、本発明はこれに限らず、例えば、保持部材の保持面を傾斜させたり、蛍光部材の表面（または保持部材の保持面）を球面状に形成し、蛍光部材を、反射面の深さ方向と、反射面の深さ方向に直交する方向との両方向に延びるように形成してもよい。
【０１９２】
また、上記実施形態では、蛍光部材を、反射面の焦点を含む領域に配置した例について示したが、本発明はこれに限らず、蛍光部材を、反射面の焦点の近傍に配置してもよい。
【０１９３】
また、上記実施形態では、反射鏡の反射面を、放物面により形成した例について示したが、本発明はこれに限らず、反射面を、楕円面の一部により形成してもよい。また、反射鏡を、ＣＰＣ（Ｃｏｍｐｏｕｎｄ  Ｐａｒａｂｏｌｉｃ  Ｃｏｎｃｅｎｔｒａｔｏｒ）型の反射鏡により形成してもよい。
【０１９４】
また、上記実施形態では、蛍光部材からレーザ光を照射した側とは反対側に出射した光を反射鏡で反射させる場合（上記第１、第４および第７実施形態の場合）に、蛍光部材を、（Ｙ，Ｇｄ）３Ａｌ５Ｏ１２：Ｃｅの蛍光体により形成し、蛍光部材からレーザ光を照射した側に出射した光を反射鏡で反射させる場合（上記第２、第３、第５および第６実施形態の場合）に、蛍光部材を、Ｃｅ３＋賦活α−ＳｉＡｌＯＮの蛍光体と、ＣａＡｌＳｉＮ３：Ｅｕ２＋の蛍光体とにより形成した例について示したが、本発明はこれに限らず、蛍光部材からレーザ光を照射した側とは反対側に出射した光を反射鏡で反射させる場合に、蛍光部材を、Ｃｅ３＋賦活α−ＳｉＡｌＯＮの蛍光体と、ＣａＡｌＳｉＮ３：Ｅｕ２＋の蛍光体とにより形成し、蛍光部材からレーザ光を照射した側に出射した光を反射鏡で反射させる場合に、蛍光部材を、（Ｙ，Ｇｄ）３Ａｌ５Ｏ１２：Ｃｅの蛍光体により形成してもよい。
【０１９５】
また、上記実施形態では、蛍光部材を、蛍光体粒子と樹脂とにより形成した例について示したが、本発明はこれに限らず、蛍光部材は、蛍光体を含んでいれば、種々の材料および方法によって形成することが可能である。例えば、蛍光部材を、蛍光体粒子と、樹脂以外の接着材またはガラスとにより形成してもよい。また、蛍光部材を、蛍光体粒子を焼結やプレス成型することにより形成してもよい。
【０１９６】
また、上記実施形態では、蛍光部材（反射面の焦点）を、反射面の内部と外部との境界、または、反射面の頂点の近傍に配置した例について示したが、本発明はこれに限らず、蛍光部材（反射面の焦点）を、反射面の内部および外部の境界と、反射面の頂点の近傍との間に配置してもよい。すなわち、図３７に示した本発明の第１変形例による前照灯のように、蛍光部材７１４（反射面７３１の焦点Ｆ７０１）を、反射面７３１（反射鏡７３０）の中心部に配置してもよい。なお、反射面７３１を、例えば、約１００ｍｍの直径（＝Ｄ７０１）と、約３５ｍｍの深さ（＝Ｈ７０１）とを有するように形成した場合、反射面７３１の焦点Ｆ７０１と、反射面７３１の頂点Ｖ７０１との距離（＝Ｈ７０２）は、約１７．９ｍｍになる。
【０１９７】
また、例えば、上記第２実施形態において、保持部材を、透光性を有するガラス板などにより形成してもよい。また、上記実施形態において、保持部材を、ガラス板および金属板以外の部材により形成してもよい。
【０１９８】
また、例えば上記第４実施形態では、図２５に示したように、保持部材を反射鏡（反射面）の内部に配置した例について示したが、本発明はこれに限らず、図３８に示した本発明の第２変形例による前照灯のように構成してもよい。すなわち、反射鏡８３０の蛍光部材３１４よりも後側の部分を切り取り、反射鏡８３０（反射面８３１）の外部に、保持部材８１５を配置してもよい。
【０１９９】
また、上記第５および第６実施形態では、反射面の焦点が頂点の近傍に位置している場合に、放物面を頂点と焦点とを結ぶ軸に直交（交差）する面で分割し、かつ、頂点と焦点とを結ぶ軸に平行な面で分割した形状に、反射鏡の反射面を形成した例について示したが、本発明はこれに限らない。例えば、図３９に示した本発明の第３変形例による前照灯のように、反射鏡９３０の反射面９３１の焦点Ｆ９０１が、反射面９３１の内部と外部との境界に位置している場合に、放物面を頂点Ｖ９０１と焦点Ｆ９０１とを結ぶ軸に直交（交差）する面で分割し、かつ、頂点Ｖ９０１と焦点Ｆ９０１とを結ぶ軸に平行な面で分割した形状に、反射面９３１を形成してもよい。
【０２００】
また、図３９に示したように、レーザ光を、後斜め方向から蛍光部材９１４に照射してもよい。
【０２０１】
また、上記第７実施形態では、前照灯の照明領域の面積と照明方向との両方を制御（変更）するために、アクチュエータ６１６を用いてコリメートレンズ２２をＺ１方向（またはＺ２方向）に移動させ、アクチュエータ６１７を用いて反射鏡６２３の角度を変更した例について説明したが、本発明はこれに限らない。例えば、アクチュエータ６１６を、コリメートレンズ２２をＺ１方向（またはＺ２方向）に移動させるとともに、コリメートレンズ２２の角度を変更するように、構成してもよい。図４０に示すように、光ファイバ２１の軸方向に対するコリメートレンズ２２の角度を変更した場合、コリメートレンズ２２を透過するレーザ光の進行方向が変更される。これにより、蛍光部材の被照射位置を変更することが可能であるとともに、前照灯の照明方向を変更することが可能である。
【０２０２】
また、上記実施形態では、運転者による切替スイッチの操作や、自動車の舵角に基づいて、蛍光部材の被照射領域の面積（前照灯の照明領域の面積）を変更した例について示したが、本発明はこれに限らず、少なくとも車速に基づいて、蛍光部材の被照射領域の面積（前照灯の照明領域の面積）を変更してもよい。この場合、自動車の車速を検出する車速検出器を設けてもよい。
【０２０３】
また、上記実施形態では、投光部材として反射鏡を用いた例について示したが、本発明はこれに限らない。例えば図４１に示した本発明の第４変形例による前照灯のように、投光部材として、蛍光部材５１４から出射した光を制御して投光する投光レンズ１０４０（例えば凸レンズ）を用いてもよい。この場合、正面方向から見て投光レンズ１０４０の中心が蛍光部材５１４の中心と一致するように、投光レンズ１０４０を配置してもよい。また、上記第６実施形態のように、高い熱伝導率を有する金属板などからなる保持部材１１５および蛍光部材５１４を用いてもよい。そして、レーザ光を蛍光部材５１４の前側から照射してもよい。また、図４２に示すように、蛍光部材５１４の被照射領域Ｒ５０２（ハッチング領域）を、水平方向（Ｘ方向）に延びる楕円形状（横長形状）に変更してもよい。本発明の第４変形例のように投光部材として投光レンズ１０４０を用いた場合であっても、蛍光部材５１４の被照射領域の面積を変更することにより、前照灯の照明領域の面積を変更することができる。
【０２０４】
また、例えば図４３に示した本発明の第５変形例による前照灯のように、投光レンズ１０４０、蛍光部材３１４および保持部材３１５を用いて、レーザ光を蛍光部材３１４の後側から照射してもよい。
【０２０５】
また、例えば図４４に示した本発明の第６変形例による前照灯のように、投光部材として反射鏡１０３０および投光レンズ１０４０を用いてもよい。この場合、反射鏡１０３０の反射面１０３１を楕円面により形成してもよい。そして、反射面１０３１（楕円面）の第１焦点（反射面１０３１に近い方の焦点）Ｆ１００１ａと蛍光部材１４の中心Ｏ１とを一致させ、反射面１０３１（楕円面）の第２焦点（反射面１０３１から遠い方の焦点）Ｆ１００１ｂと投光レンズ１０４０の焦点Ｆ１００２とを一致させてもよい。このように構成すれば、焦点Ｆ１００１ｂ（Ｆ１００２）を通過して投光レンズ１０４０に入射した光は、平行光となって投光レンズ１０４０から前方に出射する。
【０２０６】
また、上記実施形態では、発光部材として、励起光よりも長い（大きい）中心波長を有する光（蛍光）を出射する蛍光体粒子を含有する蛍光部材を用いた例について示したが、本発明はこれに限らない。例えば多光子励起により発光する物質や所謂アップコンバージョン蛍光体のように、励起光（例えば赤外光）よりも短い（小さい）中心波長を有する光（例えば可視光）を出射する波長変換部材を含有する発光部材を用いてもよい。また、波長変換部材を用いず、例えば可視光のレーザ光を単に散乱させる散乱体を含有する発光部材を用いてもよい。
【０２０７】
また、上記実施形態では、蛍光部材の照射面積を変更するために、コリメートレンズ２２やレンズ５２２ｂを移動させた例について示したが、本発明はこれに限らない。例えば図４５に示した本発明の第７変形例による前照灯のように、半導体レーザ素子１１と集光レンズ１３とが一体になったレーザ素子ユニット１０１０を、モータ１０１１（照射面積変更部）などを用いてＺ方向にスライドさせることにより、蛍光部材３１４の照射面積を変更（移動）してもよい。また、半導体レーザ素子１１のみをＺ方向（Ｚ１方向またはＺ２方向）にスライドさせてもよい。なお、投光部材として投光レンズを用いる場合であっても、図４５に示した構造を適用できることは、言うまでもない。
【符号の説明】
【０２０８】
１、１０１、５０１、６０１  自動車（移動体）
２、１０２、５０２、６０２  前照灯（照明装置）
１１、１１１  半導体レーザ素子（レーザ発生器）
１２、６１２  出力調整部
１４、１１４、２１４、３１４、４１４、５１４、７１４、９１４  蛍光部材（発光部材）
１５、１１５、３１５、４１５、８１５  保持部材
１５ａ、１１５ａ、４１５ａ  保持面
１６、６１６  アクチュエータ（照射面積変更部）
２２  コリメートレンズ（レンズ）
３０、１３０、２３０、３３０、４３０、７３０、８３０、９３０、１０３０  反射鏡（投光部材）
３１、１３１、２３１、３３１、４３１、７３１、８３１、９３１、１０３１  反射面
５２２ｂ  レンズ
６１７  アクチュエータ（照射位置変更部）
１０４０  投光レンズ（投光部材）
１０１１  モータ（照射面積変更部）
Ｆ１、Ｆ１０１、Ｆ４０１、Ｆ７０１、Ｆ１００１ａ、Ｆ１００１ｂ  焦点
Ｐ６０１、Ｐ６０２  被照射位置
Ｒ１、Ｒ２、Ｒ１０１、Ｒ１０２、Ｒ５０１、Ｒ５０２、Ｒ６０１、Ｒ６０２  被照射領域
Ｖ１、Ｖ１０１、Ｖ４０１、Ｖ７０１、Ｖ９０１  頂点
【図１】
0005314094.tif 000002
【図２】
0005314094.tif 000003
【図３】
0005314094.tif 000004
【図４】
0005314094.tif 000005
【図５】
0005314094.tif 000006
【図６】
0005314094.tif 000007
【図７】
0005314094.tif 000008
【図８】
0005314094.tif 000009
【図９】
0005314094.tif 000010
【図１０】
0005314094.tif 000011
【図１１】
0005314094.tif 000012
【図１２】
0005314094.tif 000013
【図１３】
0005314094.tif 000014
【図１４】
0005314094.tif 000015
【図１５】
0005314094.tif 000016
【図１６】
0005314094.tif 000017
【図１７】
0005314094.tif 000018
【図１８】
0005314094.tif 000019
【図１９】
0005314094.tif 000020
【図２０】
0005314094.tif 000021
【図２１】
0005314094.tif 000022
【図２２】
0005314094.tif 000023
【図２３】
0005314094.tif 000024
【図２４】
0005314094.tif 000025
【図２５】
0005314094.tif 000026
【図２６】
0005314094.tif 000027
【図２７】
0005314094.tif 000028
【図２８】
0005314094.tif 000029
【図２９】
0005314094.tif 000030
【図３０】
0005314094.tif 000031
【図３１】
0005314094.tif 000032
【図３２】
0005314094.tif 000033
【図３３】
0005314094.tif 000034
【図３４】
0005314094.tif 000035
【図３５】
0005314094.tif 000036
【図３６】
0005314094.tif 000037
【図３７】
0005314094.tif 000038
【図３８】
0005314094.tif 000039
【図３９】
0005314094.tif 000040
【図４０】
0005314094.tif 000041
【図４１】
0005314094.tif 000042
【図４２】
0005314094.tif 000043
【図４３】
0005314094.tif 000044
【図４４】
0005314094.tif 000045
【図４５】
0005314094.tif 000046